(57)【要約】      （修正有）【課題】光照射によって宝石材の色が変化することを可能とし、これによって宝飾品に自発光的に光り輝くという付加価値を付与する。【解決手段】有色の透明性ある宝石材Ｐ、無色透明な宝石材Ｐそれぞれと、これら宝石材Ｐに対し近紫外光線を照射することで当該宝石材Ｐの原色とは異なった色に発光可能としたり、当該無色透明の宝石材Ｐを有色発光可能としたりするよう近紫外線を有効放射する蛍光ランプ具２とを備える。宝石材Ｐは、ハート形、クローバ形、スペード形、星形等の外形状を有する１８金、ホワイトゴールド、プラチナ等の貴金属製のアクセサリー基材に、モザイク状に付設したダイヤモンドＰ１、ピンクサファイヤＰ２であるものとする。【選択図】図１
0003109499.tif 000002
【実用新案登録請求の範囲】
【請求項１】
有色の透明性ある宝石材と、この宝石材に対し近紫外光線を照射することで当該宝石材の原色とは異なった色彩で発光可能とするよう近紫外線を有効放射する蛍光ランプ具とを備えて成ることを特徴とする光アート宝飾品。
【請求項２】
無色透明な宝石材と、この宝石材に対し近紫外光線を照射することで当該宝石材を有色発光可能とするよう近紫外線を有効放射する蛍光ランプ具とを備えて成ることを特徴とする光アート宝飾品。
【請求項３】
光照射によって有色発光可能な蛍光性を有する宝石材と、この宝石材に対し当該蛍光を発光可能とする波長領域の光を有効放射する光源とを備えて成ることを特徴とする光アート宝飾品。
【請求項４】
宝石材は、ハート形、クローバ形、スペード形、星形等の外形状を有する１８金、ホワイトゴールド、プラチナ等の貴金属製のアクセサリー基材に、モザイク状に付設されたダイヤモンド、ピンクサファイヤである請求項１または２記載の光アート宝飾品。
【考案の詳細な説明】
【技術分野】
【０００１】
本考案は、例えば指輪、ネックレス、ブレスレット、イヤリング、ピアス等に使用される宝石材において、光照射によって当該宝石材の色彩を変化させることを可能にした光アート宝飾品に関するものである。
【背景技術】
【０００２】
従来、この種の光アート宝飾品としては、特許文献１に開示されているように、蓄光塗料を装飾体表面に塗着して色彩的効果を付与したアクセサリー部材が提案されている。
【０００３】
また、特許文献２に開示されているように、宝石材の裏面に蓄光塗料を塗着して、宝石材の内部から柔らかく発光させることにより、宝石材が本来有する色彩と蓄光塗料による発光色とが微妙に作用して、宝石材の表面で自然な色彩的変化をもたらすようにしたものが提案されている。
【特許文献１】実開昭５９−９１１２５号公報
【特許文献２】実開平７−２３４１６号公報
【考案の開示】
【考案が解決しようとする課題】
【０００４】
しかしながら、このような従来の蓄光塗料を用いたものにおいては、宝石材自体に蓄光塗料を塗着すること自体が、貴金属宝飾品としての価値観を低減させるものである。しかも、宝石材を通して蓄光塗料の塗着面が見えてしまい、高級感のある宝石材自体の見栄えが悪くなる欠点がある。また、宝石材表面のカットの状態によっては、光屈折作用や光分散作用が伴うために、宝石材本来の有色状態とは異なる所望の色彩を現出させることが非常に困難でもある。
【０００５】
そこで本考案は叙上のような従来存した諸事情に鑑み案出されたもので、蓄光塗料を用いずに光照射のみによって宝石材の色彩を変化可能とすることで、宝飾品に対し、自発光的に光り輝くという付加価値を容易に付与することができ、しかも宝石材表面のカットの状態に左右されずに、宝石材本来の有色状態とは異なる所望の色彩を容易に現出させることができる光アート宝飾品を提供することを目的とする。
【課題を解決するための手段】
【０００６】
上述した課題を解決するため、本考案にあっては、有色の透明性ある宝石材Ｐ例えばピンクサファイアと、この宝石材Ｐに対し近紫外光線を照射することで当該宝石材Ｐの原色とは異なった色に発光可能とするよう近紫外線を有効放射する蛍光ランプ具２とを備えて成ることで、光アート宝飾品１とするものである。
また、無色透明な宝石材Ｐ例えばダイヤモンドと、この宝石材Ｐに対し近紫外光線を照射することで当該宝石材Ｐを有色発光可能とするよう近紫外線を有効放射する蛍光ランプ具２とを備えることで、光アート宝飾品１とすることができる。
さらに、光照射によって有色発光可能な蛍光性を有する宝石材Ｐと、この宝石材Ｐに対し当該蛍光を発光可能とする波長領域の光を有効放射する光源６とを備えることで、光アート宝飾品１とすることができる。
宝石材Ｐは、ハート形、クローバ形、スペード形、星形等の外形状を有する１８金、ホワイトゴールド、プラチナ等の貴金属製のアクセサリー基材Ｑに、モザイク状に付設されたダイヤモンドＰ１、ピンクサファイヤＰ２であるものとすることができる。
【０００７】
以上のように構成された本考案に係る光アート宝飾品１にあって、近紫外線を有効放射する蛍光ランプ具２は、宝石材Ｐに照射することで当該宝石材Ｐ本来の原色とは異なった色彩で発光させる。
また、蛍光性を有する宝石材Ｐは、蛍光を発光可能とする波長領域の光を光源６から照射させることによって、宝石材Ｐ自体を本来の色とは別の有色状態に発光させる。
さらに、宝石材Ｐとして、アクセサリー基材Ｑに付設された光透過可能な無色透明の例えばダイヤモンドＰ１は、蛍光ランプ具２からの近紫外線を表面で完全反射させることによって、ダイヤモンドＰ１を無有色透明状態から有色発光状態に変化させる。
加えて、宝石材Ｐとして、アクセサリー基材Ｑに付設されたピンク色を呈する有色の透明性ある例えばピンクサファイヤＰ２は、蛍光ランプ具２からの近紫外線を照射させることによって、ピンク色と近紫外線との混合色である赤色の有色発光状態に変化させる。
【考案の効果】
【０００８】
本考案によれば、蓄光塗料を用いずに、光照射のみによって宝石材Ｐの色を変化させることを可能とし、これによって宝飾品に自発光的に光り輝くという付加価値を容易に付与することができる。しかも宝石材Ｐ表面のカットの状態に左右されずに、宝石材Ｐ本来の有色状態とは異なる所望の色彩を容易に現出させることができる。
【０００９】
すなわちこれは本考案が、有色の透明性ある宝石材Ｐと、この宝石材Ｐに対し近紫外光線を照射することで当該宝石材Ｐの原色とは異なった色に発光可能とするよう近紫外線を有効放射する蛍光ランプ具２とを備えて成るからであり、これによって、蛍光ランプ具２による近紫外線を宝石材Ｐに照射することで当該宝石材Ｐ本来の原色とは異なった色彩で発光させることができ、宝飾品に対し、自発光的に光り輝くという付加価値を容易に付与することができる。
【００１０】
また、無色透明な宝石材Ｐと、この宝石材Ｐに対し近紫外光線を照射することで当該宝石材Ｐを有色発光可能とするよう近紫外線を有効放射する蛍光ランプ具２とを備えて成るので、蛍光ランプ具２による近紫外線を宝石材Ｐに照射することで、例えばダイヤモンドＰ１を無色透明状態から有色発光状態に容易に変化させることができる。
【００１１】
さらに、光照射によって有色発光可能な蛍光性を有する宝石材Ｐと、この宝石材Ｐに対し当該蛍光を発光可能とする波長領域の光を有効放射する光源６とを備えて成るので、蛍光を発光可能とする波長領域の光を光源６から照射させることによって、宝石材Ｐ自体を本来の原色とは別の有色状態に容易に発光させることができる。
【００１２】
宝石材Ｐは、ハート形、クローバ形、スペード形、星形等の外形状を有する１８金、ホワイトゴールド、プラチナ等の貴金属製のアクセサリー基材Ｑに、モザイク状に付設されたダイヤモンドＰ１、ピンクサファイヤＰ２であるので、蛍光ランプ具２からの近紫外線を表面で完全反射させることによって、ダイヤモンドＰ１を無有色透明状態から有色発光状態に変化させることができ、且つピンク色を呈する有色透明のピンクサファイヤＰ２をピンク色と近紫外線との混合色である赤色の有色発光状態に変化させることができる。
【００１３】
また、本考案は、蛍光ランプ具２、光源６等の外部からの光照射のみであって従来のように蓄光塗料を使用しないため、宝石材Ｐのカットもラウンドカット、カボションカット、スクエアカット等の様々なカット種類に容易に適用することができる。
【００１４】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１５】
以下図面を参照して本考案を実施するための最良の一形態を説明すると、図において示される符号１は、例えばネックレスや指輪等に使用される宝石材Ｐを備えた光アート宝飾品であり、有色透明の宝石材Ｐとして例えばピンク色を呈する有色透明のピンクサファイヤＰ２と、無色透明な宝石材Ｐとして例えばダイヤモンドＰ１とを、ハート形、クローバ形、スペード形、星形等の外形状に成形された例えば１８金、ホワイトゴールド、プラチナ等の貴金属製のアクセサリー基材Ｑにモザイク状に装飾して成るものである。
【００１６】
そして、この宝石材Ｐに対し、近紫外線を有効放射する可視光域の光を透過しないガラスを使用して成る蛍光ランプ具２（通称ブラックライト）から発する近紫外光線を照射することで、当該有色の透明性ある宝石材Ｐにあっては本来の色とは異なった色に発光可能とし、さらに当該無色透明の宝石材Ｐにあっては無色透明状態から有色発光状態に変化させるものとしてある。
【００１７】
尚、本考案による光アート宝飾品１として、ネックレスや指輪以外の例えばブレスレット、イヤリング、ピアス、さらにはペンダントやブローチ等にも適用可能であることは勿論である。
【００１８】
光アート宝飾品１の具体的な構成としては、図１に示すように、星形の枠状に形成された貴金属製のアクセサリー基材Ｑによる当該枠内中央にダイヤモンドＰ１が配置され、その周囲には星の頂点に対応して５個のピンクサファイヤＰ２が配置して成るものとしたり、あるいは図２に示すように、ハート形の枠状に形成された貴金属製のアクセサリー基材Ｑによる当該枠に沿って複数のピンクサファイヤＰ２が配置され、凹んだハート形上部中央には１個の大きなダイヤモンドＰ１が配置して成るものとしたりして構成する。尚、このような宝石材Ｐの個数や配置形状等は、本考案を何等限定するものではないことは勿論である。
【００１９】
また、蛍光ランプ具２は、先端に発光部３を備えた長さが例えば約６ｃｍ程度の円筒形ペンライト状に形成され、末端にはナス環状のフック部４が設けられたアクセサリータイプの筐体８に、照射先端が外出している状態で内蔵構成したもので、筐体８の周面の一部には、押圧したときだけ発光部３を点灯させるスイッチボタン５を設けてある。
【００２０】
次に、本構成による使用、動作について説明すると、ペンライト状に形成された筐体８の先端における蛍光ランプ具２の発光部３を光アート宝飾品１の宝石材Ｐに向けてスイッチボタン５を押すと、当該蛍光ランプ具２の発光部３から近紫外線が有効放射し、これが宝石材Ｐを照射することで当該宝石材Ｐからは、その本来の色彩とは異なった色彩で発光する。
【００２１】
このとき宝石材Ｐとして、アクセサリー基材Ｑに付設された光透過可能な無色透明のダイヤモンドＰ１である場合は、蛍光ランプ具２からの近紫外線を表面で完全反射させるため、ダイヤモンドＰ１を無有色透明状態から有色発光状態に変化する。
【００２２】
また宝石材Ｐとして、アクセサリー基材Ｑに付設されたピンク色を呈する有色の透明性あるピンクサファイヤＰ２である場合は、蛍光ランプ具２からの近紫外線を照射させることによって、ピンク色と近紫外線との混合色である赤色の有色発光状態に変化する。
【００２３】
図３には、本考案の他の実施の形態が示されている。本実施の形態では、光照射によって有色発光可能な蛍光性を有する宝石材Ｐと、この宝石材Ｐに対し当該蛍光を発光可能とする波長領域の光を有効放射する光源６とを備えている。
【００２４】
このときの光アート宝飾品１の具体的な構成としては、例えばプラチナやホワイトゴールド製等の指輪の台座７に蛍光性を有するダイヤモンドカット状の宝石材Ｐが取り付けられており、この宝石材Ｐに向けて、当該宝石材Ｐ自体に蛍光を発光可能とするような特定の波長領域の光を光源６から照射させることによって、宝石材Ｐ自体を本来の色とは別の有色状態に発光させるものとしてある。
【００２５】
このように蛍光ランプ具２や光源６が点灯している間だけ、宝石材Ｐ自体を本来の色とは別の有色状態に発光させることで、光アート宝飾品１に対し自発光的に光り輝くという付加価値を付与するものとなる。しかも、宝石材Ｐのカットもラウンドカット、カボションカット、スクエアカット等の様々なカット種類のものでも容易に適用される。
【図面の簡単な説明】
【００２６】
【図１】本考案を実施するための最良の形態における光アート宝飾品の使用状態を示す斜視図である。
【図２】本考案を実施するための最良の形態の他例における光アート宝飾品の使用状態を示す斜視図である。
【図３】本考案を実施するための最良の形態の更に他例における光アート宝飾品の使用状態を示す斜視図である。
【符号の説明】
【００２７】
Ｐ…宝石材                              Ｐ１…ダイヤモンド
Ｐ２…ピンクサファイヤ                  Ｑ…アクセサリー基材
１…光アート宝飾品                      ２…蛍光ランプ具
３…発光部                              ４…フック部
５…スイッチボタン                      ６…光源
７…台座                                ８…筐体
【図１】
0003109499.tif 000003
【図２】
0003109499.tif 000004
【図３】
0003109499.tif 000005